(57)【要約】【課題】腕の上側の筋肉を効果的にマッサージでき、且つ施療する腕の位置に制約が少なく使用者がリラックスして使用できる椅子式マッサージ機を提供する。【解決手段】座面３、背もたれ２、肘掛け４を備えた椅子式マッサージ機である。これにいおいて、肘掛け４と、肘掛け４の上方に間隔を隔てて設けられた壁６との対向する面の双方に、空気圧により膨張・収縮可能な空気袋７，８，９をそれぞれ複数備え、腕が置かれる肘掛け４の上面に設けられた空気袋７の体積の総和を、肘掛け４の上面に垂直方向で対向する上方の壁６の下面に設けられた空気袋８，９の体積の総和よりも、大きく設けた。【選択図】図１
2011019980.tif 000002
【特許請求の範囲】
【請求項１】
座面、背もたれ、肘掛けを備えた椅子式マッサージ機において、肘掛けと、肘掛けの上方に間隔を隔てて設けられた壁との対向する面の双方に、空気圧により膨張・収縮可能な空気袋をそれぞれ複数備え、腕が置かれる肘掛けの上面に設けられた空気袋の体積の総和を、肘掛けの上面に垂直方向で対向する上方の壁の下面に設けられた空気袋の体積の総和よりも、大きく設けたことを特徴とする椅子式マッサージ機。 
【請求項２】
上側の空気袋を、長手方向に複数備えたことを特徴とする請求項１に記載の椅子式マッサージ機。
【発明の詳細な説明】
【技術分野】
【０００１】
本発明は、椅子に座った使用者の手や腕をマッサージする椅子式マッサージ機に関するものである。
【背景技術】
【０００２】
従来から、座面、背もたれ、肘掛けを備えた椅子式マッサージ機において、肘掛けに空気袋を備え、空気袋の膨張・収縮により肘掛けに置いた手や腕をマッサージするものは知られている（例えば、特許文献１、特許文献２、特許文献３参照）。
【先行技術文献】
【特許文献】
【０００３】
【特許文献１】特開２００３−１８０７７３号公報
【特許文献２】特開２００３−１８０７７４号公報
【特許文献３】特開２００３−１５３９７０号公報
【発明の概要】
【発明が解決しようとする課題】
【０００４】
ところが、上記のような従来例では手や腕を空気袋の面で圧迫するためにソフトな施療感になってしまい、使用者によって物足りなく感じるという問題あった。また肘掛けの両側の立ち上がり壁からの空気袋の膨張・収縮のマッサージとなるために上面から腕を掴むということに対するマッサージ感が弱いという問題があった。
【０００５】
この問題を解決するために本特許出願人は先に特願２００３−４２５０４７号を出願した。これは肘掛けの上面に上下に開閉可能なカバー片を設け、カバー片の下面と肘掛けの上面とに膨張・収縮によりマッサージする空気袋を設けてあり、カバー片の下面の空気袋に剛性のある突起状の施療子を設けてある。このものでは腕の上部の筋肉を効果的にマッサージするために上側の空気袋に突起状の施療子が設けられており、施療位置がずれると施療子により筋肉を傷めるおそれがあることから、使用者が常に腕の位置を注意する必要があり、非常に窮屈に感じリラックスして使用できないという問題がある。
【０００６】
本発明は上記の従来の問題点に鑑みて発明したものであって、腕の上側の筋肉を効果的にマッサージでき、且つ施療する腕の位置に制約が少なく使用者がリラックスして使用できる椅子式マッサージ機を提供することを課題とするものである。
【課題を解決するための手段】
【０００７】
上記課題を解決するために本発明の請求項１の椅子式マッサージ機は、座面、背もたれ、肘掛けを備えた椅子式マッサージ機において、肘掛けと、肘掛けの上方に間隔を隔てて設けられた壁との対向する面の双方に、空気圧により膨張・収縮可能な空気袋をそれぞれ複数備え、腕が置かれる肘掛けの上面に設けられた空気袋の体積の総和を、肘掛けの上面に垂直方向で対向する上方の壁の下面に設けられた空気袋の体積の総和よりも、大きく設けたことを特徴とする。
【０００８】
また本発明の請求項２の椅子式マッサージ機は、請求項１において、上側の空気袋を、長手方向に複数備えたことを特徴とする。
【発明の効果】
【０００９】
本発明は、腕の上部の筋肉をより効果的にマッサージすることができるものであり、また空気袋に突起状の施療子を設けなくとも腕の上部の筋肉を効果的にマッサージできるために施療位置がずれても施療子により筋肉を傷めるおそれがなくなるから、使用者はリラックスしてマッサージを受けることができるようになる。
【図面の簡単な説明】
【００１０】
【図１】本発明の実施の形態の一例の椅子式マッサージ機の全体を示す側面図である。
【図２】同上の要部の一部切欠側面図である。
【図３】同上の他の例の要部の一部切欠側面図である。
【図４】同上のさらに他の例の要部の一部切欠側面図である。
【図５】同上のさらに他の例の要部の一部切欠側面図である。
【発明を実施するための形態】
【００１１】
以下、本発明を添付図面に示す実施形態に基いて説明する。先ず図１や図２に示す実施の形態の例から説明する。
【００１２】
図１に示すように椅子１は背もたれ２、座面３、肘掛け４、オットマン５によって主体が構成されており、肘掛け４の上方には肘掛け４の上面に対して間隔をあけて壁６を設けてあり、肘掛け４の上面と壁６の下面との間に手や腕を入れることができるようになっている。この壁６は本例の場合、肘掛け４の上方に固定的に設けてあるが、上下に開閉自在に設けてあってもよい。肘掛け４の上面には空気袋７が、壁６の下面には空気袋８，９が設けられている。この空気袋７，８，９は膨張・収縮可能であり、この空気袋７，８，９には管路１０，１１によりポンプなどの圧縮空気供給手段１２から空気が供給されるようになっている。空気袋８，９の面積若しくは体積の総和はいずれも空気袋７の面積若しくは体積より小さくなっている。
【００１３】
椅子１の座面３に座った状態で手や腕のマッサージをする場合、手や腕を肘掛け４の上面と壁６との間に入れ、圧縮空気供給手段１２から管路１０，１１にて空気袋７，８，９に空気を供給して空気袋７，８，９を膨張・収縮させてマッサージを行う。このとき肘掛け４の上面に設けられた空気袋７よりも肘掛け４の上方の壁６の下面に設けられた空気袋８，９の方が、使用者の施療面に対して垂直方向に早く膨張するため、ポンプなどの圧縮空気供給手段１２を複雑な制御することなく、スピーディーでテンポの良いマッサージをすることができ、腕の上部の筋肉をより効果的にマッサージすることができる。また空気袋８，９に突起状の施療子を設けなくても腕の上部の筋肉をより効果的にマッサージすることができるので、施療位置がずれても施療子により筋肉を傷めるおそれがなくなるから、使用者はリラックスしてマッサージを受けることできるようになる。なお、本例の場合、壁６の下面に２つの空気袋８，９を設けた例について述べたが、壁６の下面に設ける空気袋は１つであっても構わない。また本例の場合、肘掛け４の上面に設ける空気袋７は１つであるが、複数であっても構わない。
【００１４】
次に図３に示す実施の形態の例について述べる。本例も上記例と基本的に同じであり、異なる点だけを述べる。本例の場合、空気袋７に圧縮空気を供給する管路１０と空気袋８，９に圧縮空気を供給する管路１１とに夫々弁１３，１４を設けてある。この場合、弁１３，１４を制御することにより、空気袋７，８，９の膨張・収縮時間が調節可能であるから、先に肘掛け４の上方の壁６の下面に設けられた空気袋８，９が膨らむように弁１４を開き、後で肘掛け４の上面に設けられた空気袋７が膨らむように弁１３を開くように弁１３，１４を制御すると、より確実に肘掛け４の上面に設けられた空気袋７より肘掛け４の上方の壁６の下面に設けられた空気袋８，９の方が、使用者の施療面に対して早く膨張し、さらにメリハリのあるマッサージをすることができる。
【００１５】
次に図４に示す実施の形態の例について述べる。本例も上記例と基本的に同じであり、異なる点だけを述べる。本例の場合、空気袋７に空気を供給する管路１０にオリフィス構造を持つ抵抗部１５が設けられている。この場合、肘掛け４の上面に設けられた空気袋７の給排気を行う管路１０に抵抗部１５が設けられたことにより、抵抗部１５にて空気の流速が下がり、肘掛け４の上面に設けられた空気袋７よりも肘掛け４の上方の壁６の下面に設けられた空気袋８，９の方が、使用者の施療面に対して垂直方向に早く膨張するようになる。したがって、確実にスピーディーでテンポの良いマッサージを得ることができる。
【００１６】
なお、本例の場合、空気袋７に圧縮空気を供給する管路１０にのみに抵抗部１５を設けたが、空気袋７に圧縮空気を供給する管路１０及び空気袋８，９に圧縮空気を供給する管路１１との両方にオリフィス構造を持つ抵抗部１５を設け、管路１０に設けられた抵抗部１５のオリフィス径が小さくなるようにしてあっても同じ効果を得ることができる。
【００１７】
次に図５に示す実施の形態の例について述べる。本例も上記例と基本的に同じであり、異なる点だけを述べる。本例の場合、壁６の下面に設けた複数の空気袋８，９が肘掛け４の上面に置いた腕の長手方向に並ぶように配列されている。また空気袋８，９にはそれぞれ別々の管路１６，１７にて圧縮空気が供給されるように管路１６，１７を夫々接続してある。管路１６には弁１８が、管路１７には弁１９がそれぞれ設けられている。このように肘掛け４の上方の壁６の下面に設けた複数の空気袋８，９が肘掛け４の上面に置いた腕の長手方向に並ぶように配列されているため、腕の上側に長手方向に並んでいる手三里や曲池というツボを個別に押すことができ、より効果の高いマッサージを得ることができる。さらに管路１６，１７に夫々弁１８，１９を設けているために肘掛け４の上方の壁６に設けられた空気袋８，９が膨張するタイミングをずらすことができ、例えば、指先に近い空気袋８の方から順に膨張するように制御すると、血液を絞り出すことで静脈環流を促進し、むくみの改善により高い効果が得られる。
【符号の説明】
【００１８】
１  椅子 
２  背もたれ
３  座面
４  肘掛け
５  オットマン
６  壁
７  空気袋
８  空気袋
９  空気袋
１０  管路
１１  管路
１２  圧縮空気供給手段
１３  弁
１４  弁
１５  抵抗部
１６  管路
１７  管路
１８  弁
１９  弁
【図１】
2011019980.tif 000003
【図２】
2011019980.tif 000004
【図３】
2011019980.tif 000005
【図４】
2011019980.tif 000006
【図５】
2011019980.tif 000007